(57)【要約】【課題】  表示中の画像を他の通信端末装置に送信するための送信先メールアドレスを簡単な操作で入力できるようにした通信端末装置を得る。【解決手段】  通信端末装置１は、データを記憶するデータ記憶部１０、１２と、メールアドレスを登録番号と対応付けて記憶するアドレス記憶部１１と、複数のキーを有する操作部９と、データ記憶部１０、１２に記憶された上記データを再生する報知部６、８と、報知部６、８に上記データが再生された状態で操作部９の所定のキーが操作されると、操作された上記所定のキーに対応する上記登録番号に対応付けた上記メールアドレスをアドレス記憶部１１から読み出し、報知部６、８が再生しているデータを送信するメール送信先に設定する制御部４とを備えた。【選択図】          図３
2005174214.tif 000002
【特許請求の範囲】
【請求項１】
データを記憶するデータ記憶部と、メールアドレスを登録番号と対応付けて記憶するアドレス記憶部と、複数のキーを有する操作部と、上記データ記憶部に記憶されたデータを再生する報知部と、この報知部に上記データが再生された状態で上記操作部の所定のキーが操作されると、操作された上記所定のキーに対応する上記登録番号に対応付けた上記メールアドレスを上記アドレス記憶部から読み出し、上記報知部が再生しているデータを送信するメール送信先に設定する制御部とを備えたことを特徴とする通信端末装置。
【請求項２】
制御部はアドレス記憶部からメールアドレスを読み出すとともに、該メールアドレスをメール送信先として入力されたメール作成画面を表示部に表示させることを特徴とする請求項１記載の通信端末装置。
【請求項３】
データは、音楽データであり、報知部は、上記音楽データを鳴動する鳴動部又は上記音楽データを示す文字を表示する表示部であることを特徴とする請求項１記載の通信端末装置。
【請求項４】
データは、画像又は文字であり、報知部は、上記画像又は文字を表示する表示部であることを特徴とする請求項１記載の通信端末装置。
【請求項５】
制御部は、操作部のテンキー操作を含む所定の動作がなされたとき、操作された上記テンキーに割り当てられた数字を上記登録番号としてアドレス記憶部からメールアドレスを読み出すことを特徴とする請求項１記載の通信端末装置。
【請求項６】
所定の動作は、操作部の特定のキー押下動作、テンキーの一定時間以上の押下動作、直近のテンキー操作から一定時間経過又はテンキーの操作回数が登録番号の桁数に到達する動作のいずれかであることを特徴とする請求項５記載の通信端末装置。
【請求項７】
テンキーの操作回数が登録番号の桁数より少なければ、操作された上記テンキーに割り当てられた数字の不足する上位桁を０とみなした数字を上記登録番号とすることを特徴とする請求項５記載の通信端末装置。
【発明の詳細な説明】
【技術分野】
【０００１】
この発明は、他の通信端末装置へデータを送信する機能を有する携帯電話機等の通信端末装置に関する。
【背景技術】
【０００２】
従来技術として、短縮ダイヤルと電子メールアドレスとを対応させて記憶部に予め記憶しておき、送信用の電子メールアドレス作成時、宛先アドレスの入力欄に、予め登録した短縮ダイヤルを入力し、該短縮ダイヤルを基に、前記記憶部からメールアドレスを検索して宛先アドレスの入力フィールドに設定するようにした携帯電話機がある（例えば、特許文献１参照）。
【０００３】
【特許文献１】特開２０００−１４８３６３号公報（第３−４頁、第３図）
【発明の開示】
【発明が解決しようとする課題】
【０００４】
特許文献１の携帯電話機においては、ユーザが携帯電話機に記憶している画像等のデータを他の通信端末装置にメール送信したいと考えたとき、メール作成画面を立ち上げ、送信したい画像を添付し、宛先アドレスの入力フィールドに移行して送信先メールアドレスを入力する必要があるので、ユーザ操作が非常に煩雑という問題点があった。送信したい画像表示中にメール作成画面を立ち上げ、宛先アドレスの入力フィールドに送信先メールアドレスを入力する方法もあるが、画像添付のユーザ操作は簡略化されるものの送信先メールアドレス入力のユーザ操作は煩雑なままである。
【０００５】
この発明は上記のような問題点を解消するためになされたもので、画像等のデータを他の通信端末装置に送信するための送信先メールアドレスを簡単な操作で設定できるようにした通信端末装置を得ることを目的とするものである。
【課題を解決するための手段】
【０００６】
この発明の請求項１に係る通信端末装置は、データを記憶するデータ記憶部と、メールアドレスを登録番号と対応付けて記憶するアドレス記憶部と、複数のキーを有する操作部と、上記データ記憶部に記憶されたデータを再生する報知部と、この報知部に上記データが再生された状態で上記操作部の所定のキーが操作されると、操作された上記所定のキーに対応する上記登録番号に対応付けた上記メールアドレスを上記アドレス記憶部から読み出し、上記報知部が再生しているデータを送信するメール送信先に設定する制御部とを備えたものである。
【発明の効果】
【０００７】
この発明の請求項１に係る通信端末装置は、報知部がデータを再生している状態で操作部の所定のキーが操作されると、操作された所定のキーに対応する登録番号に対応付けたメールアドレスをアドレス記憶部から読み出し、送信するメール送信先に設定するようにしたので、報知部が再生しているデータを送信するメール送信先を設定するユーザ操作を容易にすることができる効果がある。
【発明を実施するための最良の形態】
【０００８】
実施の形態１．
以下、実施の形態１について説明する。
図１は、この発明に係る通信端末装置としての携帯電話機１を示すブロック図である。図において、携帯電話機１にはアンテナ２が設けられ、アンテナ２は無線信号の送受信を行う。アンテナ２に接続された無線部３は、送受信した無線信号を処理する。無線部３には制御部４が接続され、制御部４には後述する各部が接続されている。制御部４は主に機能動作を制御する回路であり、この回路が動作するための制御プログラムはＲＯＭ（Ｒｅａｄ  Ｏｎｌｙ  Ｍｅｍｏｒｙ）５に記憶されている。鳴動部としてのレシーバ６は携帯電話機１の受話部として機能し、マイク７は携帯電話機１の送話部として機能する。表示部８は画像等の種々の情報表示を行い、操作部９は複数のキーを有し、ユーザからのキー操作による入力を認識して、制御部４に伝達する。データ記憶部の１つとしてのＲＡＭ（Ｒａｎｄｏｍ  Ａｃｃｅｓｓ  Ｍｅｍｏｒｙ）１０は、制御部４が処理中の情報等を一時的に記憶する。アドレス記憶部としてのメモリダイヤル格納領域１１には、ユーザが操作部９から入力した氏名、電話番号及びメールアドレス等で構成されるメモリダイヤルが格納される。データ記憶部の１つとしてのデータ格納領域１２は、カメラモジュール１４によって撮像された画像、外部から取り込んだ画像もしくは絵などの画像、着信音等の音楽データ又は送受信したメールデータを格納している。送信モード設定情報格納領域１３には、データをメール送信する際の送信モードが格納されている。
【０００９】
図２は、この発明に係るメモリダイヤル格納領域１１が格納しているメモリダイヤルの内容を示す図である。図において、メモリダイヤルは登録番号としてのメモリ番号０００〜４９９までの５００件のデータが保存可能であり、メモリ番号ごとに氏名、電話番号及びメールアドレス等の個人情報が対応付けられている。
【００１０】
図３は、この発明の実施の形態１に係る画像データのメール送信処理を示すフローチャートであり、以下、このフローチャートに基づいて送信先のメールアドレスを簡単な操作で入力し、画像データを送信する処理について説明する。この実施の形態１では長押しをキーの１秒以上押下、登録番号００１のメールアドレスへ送信する場合について説明する。
【００１１】
まず、ユーザによる操作部９の操作に基づいて、制御部４はデータ格納領域１２に格納されている複数の画像データを順番に読み出して表示部８に表示させる（ステップ３−１）。
【００１２】
次に、制御部４は、表示部８に画像を表示している状態で、操作部９のテンキーのいずれかが１秒以上長押しされたか否かを判定する（ステップ３−２）。
この判定で、いずれかのテンキーが長押しされていなければ、ステップ３−２に戻ってテンキーが長押しされるのを待つ。
【００１３】
ステップ３−２で、いずれかのテンキーが長押しされれば、制御部４は、送信モード設定情報格納領域１３の設定モードを読み出し、その設定モードがメール作成画面経由モードか否かを判定する（ステップ３−３）。ここで、例えばテンキーの１が長押しされたとすると、制御部４は、１００及び１０の位を０とし、１の位を長押しされたテンキーに対応する１として、メモリ番号００１が選択されたものと判断する。
ステップ３−３の判定で、送信モード設定情報格納領域１３の設定モードがメール作成画面経由モードであれば、制御部４は、メモリダイヤル格納領域１１からメモリ番号００１に対応付けて格納しているメールアドレスを読み出し、このメールアドレス即ちｄｄｄ＠ｅｅｅ．ｆｆｆを送信先として、テンキーの１を長押しする前に表示部８に表示していた画像を添付する画像データとして入力操作された動作と同様の処理を実行し、メール作成画面を表示部８に表示させる（ステップ３−４）。
その後、ユーザはメール本文を作成する（ステップ３−５）。そして、制御部４は、ユーザが操作部９によりメール送信の操作がなされたか否かを判定し（ステップ３−６）、操作がなされるとステップ３−７へ移行する。
【００１４】
ステップ３−７で、制御部４は、無線部３及びアンテナ２を介して、メモリ番号００１のメールアドレスであるｄｄｄ＠ｅｅｅ．ｆｆｆを所有する通信端末装置へ画像データを添付したメールを送信し（ステップ３−７）、処理を終了する。
【００１５】
ステップ３−３で、送信モード設定情報格納領域１３の設定モードがメール作成画面経由モードでなければ、制御部４は、メモリダイヤル格納領域１１からメモリ番号００１に対応付けて格納しているメールアドレスを読み出し、このメールアドレス即ちｄｄｄ＠ｅｅｅ．ｆｆｆを送信先として、テンキーの１を長押しする前に表示部８に表示していた画像を添付する画像データとし（ステップ３−８）、即座にメール送信する（ステップ３−７）。
【００１６】
このように、他の通信端末装置へ送信したい画像を表示部８に表示している状態でメモリ番号に対応するテンキーを操作するだけで表示中の画像を添付したメールとして送信するメールアドレスを簡単に設定できるので、容易に画像データを添付したメールをメール送信することができる。
【００１７】
この実施の形態１では、データ格納領域１２に格納された画像データを他の通信端末装置にメール送信する場合について説明したが、カメラモジュール１４で撮影した画像を一時的にＲＡＭ１０に記憶させて表示部８に表示させている状態での撮影画像の送信にも適用できる。
この場合、ユーザがカメラモジュール１４で被写体画像を撮影すると、制御部４は、撮影画像を一時的にＲＡＭ１０に記憶し、撮影した被写体画像を表示部８に表示する。この状態で、ユーザが操作部９のテンキーを操作することで、上記実施の形態１と同様に、テンキーに対応するメモリ番号に対応付けられたメールアドレスに、容易に撮影画像を送信することができる。この場合、例えば、ユーザ自身のＰＣ（Ｐｅｒｓｏｎａｌ  Ｃｏｍｐｕｔｅｒ）に撮影した画像を容易に転送することができるので、ユーザはデータ格納領域１２のメモリ残量を気にすることなく撮影を続けることができるようになる。
【００１８】
また、図２では１つのメモリ番号に対してメールアドレスを１つだけ登録できるメモリ構成としているが、１つのメモリ番号に対してメールアドレスを複数登録できるものにも適用でき、この場合、送信モード設定情報格納領域１３の設定モードを使用せず、メールアドレスが１つ登録されていれば自動送信、メールアドレスが複数登録されていれば複数のメールアドレスを設定してメール作成画面に移行するようにしてもよい。
【００１９】
さらに、この実施の形態１は、長押ししたテンキーに対応するメモリ番号をメール送信アドレスとして使用したが、テンキーを複数回押下後のテンキー長押しにも適用でき、この場合は、長押しを含め押下されたテンキーを選択されたメモリ番号として使用すればよい。例えば、テンキーの１押下後にテンキーの２を長押しした場合、１００の位を０とし、１０の位を押下されたテンキーに対応する１、１の位を長押しされたテンキーに対応する２とし、メモリ番号０１２が選択されたものとする。
また、テンキー押下後にメールキー等の予め決められたキーが押下されたときに、押下されたテンキーに対応するメモリ番号を送信メールアドレスとして使用するようにしてもよい。さらに、テンキー押下後に一定時間キー押下がなければ、その時点でメモリ番号の入力を確定するようにしてもよい。これらの場合も、押下されたテンキーを下位桁、不足する上位桁を０とみなしてメモリ番号が選択されたものとする。
また、メモリ番号の桁数分、上記実施の形態１の場合にはテンキーが３桁押下されたときにメモリ番号が選択されたものとしてもよい。
さらに、Ｆ１キー及びＦ２キーのような短縮ダイヤルキーが設けられている場合、例えば、Ｆ１キーを押下するとメモリ番号００１、Ｆ２キーを押下するとメモリ番号００２というように予め決められたメモリ番号が選択されたものとしてもよい。
【００２０】
実施の形態２．
実施の形態１では、画像を添付したメールを送信する場合について説明したが、着信音等の音楽データを添付したメールを送信する場合についても同様に適用することができる。
【００２１】
図４は、この発明の実施の形態２に係る音楽データのメール送信処理を示すフローチャートである。
【００２２】
まず、ユーザの操作部９の操作に基づいて、制御部４はデータ格納領域１２に格納されている音楽データのタイトルを順番に読み出して表示部８に表示させる（ステップ４−１）。
【００２３】
以降の音楽データのタイトル表示中に、該音楽データを他の通信端末装置へ送信する処理は、実施の形態１の画像を音楽データに置き換えたものと同様であり、ステップ４−２、ステップ４−３、ステップ４−４、ステップ４−５、ステップ４−６、ステップ４−７及びステップ４−８の処理フローで行なわれる。
【００２４】
なお、上記実施の形態２は、音楽データのタイトル表示中にテンキーが操作された場合について説明したが、タイトル表示中にユーザが操作部８で音楽再生操作を行なった場合の音楽データを再生している状態でテンキーが押下された場合にも適用できる。
【００２５】
実施の形態３．
上記実施の形態１又は２では画像又は音楽データをメールに添付して他の通信端末装置へ送信する場合について説明したが、受信又は送信メールを他の通信端末装置に転送する場合にも適用できる。この場合、転送したい受信又は送信メールを選択して表示部８に表示させた状態で操作部９のテンキーを操作することで、押下したテンキーに対応するメモリ番号に対応付けられたメールアドレスを転送先アドレスとして選択し、受信又は送信メールの本文等の文字を簡単な操作で他の通信端末装置に送信できる。
【図面の簡単な説明】
【００２６】
【図１】この発明に係る通信端末装置としての携帯電話機１を示すブロック図である。
【図２】この発明に係るメモリダイヤル格納領域１１に格納されるメモリダイヤルの内容を示す図である。
【図３】この発明の実施の形態１に係る画像のメール送信処理を示すフローチャートである。
【図４】この発明の実施の形態２に係る音楽データのメール送信処理を示すフローチャートである。
【符号の説明】
【００２７】
１  携帯電話機
４  制御部
６  スピーカ
８  表示部
９  操作部
１０  ＲＡＭ
１１  メモリダイヤル格納領域
１２  データ格納領域
【図１】
2005174214.tif 000003
【図２】
2005174214.tif 000004
【図３】
2005174214.tif 000005
【図４】
2005174214.tif 000006